(57)【要約】      （修正有）【課題】閉口の過程で障害物を検知し即時に停止させるには慣性力を小さくする必要があり、即時に停止させる必要がある回転扉体の外周部扉を提供する。【解決手段】回転扉の挟み事故は固定側壁３の開口部と回転扉体の外周部分に挟まれることで発生する。障害物を検知し即時に停止させる必要があるのは回転扉体の外周部分だけであり、回転軸４の周りに配置される扉を内周部５と外周部６に分離可能とし、各々に駆動装置を備える。分離することで外周部扉６の慣性力は小さくなり障害物検知により即時に停止が可能になる。回転軸４に配置される扉の内周部扉５は適当な停止距離の後に停止させる。【選択図】図２
2010001735.tif 000002
【特許請求の範囲】
【請求項１】
回転扉の回転軸（４）の周りに等角度で配置される複数枚の扉を内周部分と外周部分に分離可能として慣性力を小さくすることで外周部扉（６）の即時の停止を可能としたもので、外周部扉（６）の幅を余裕を持たせた人体幅とし、外周部扉（６）の外端に円弧状の幅の狭い袖部（７）を備え、通常は内周部扉（５）に備える駆動装置と外周部扉（６）の袖部（７）に備える駆動装置に依り、内周部扉（５）及び外周部扉（６）及び袖部（７）は一枚の扉の如く回転軸（４）の周りに回転させるが、障害物（９）検知時には外周部扉（６）及び袖部（７）を分離して即時に周方向の回転を停止させることを可能とし、一方内周部扉（５）は停止距離の後に停止させるが、外周部扉（６）の幅を余裕を持たせた人体幅とすることで挟み込み事故の防止が図れるようにした回転扉の挟み事故防止の安全装置。
【請求項２】
請求項１の外周部扉（６）と袖部（７）は蝶番（８）及びバネにより半固定状態に取り付けられたもので、障害物検知時に袖部（７）の停止による外周部扉（６）の慣性力により蝶番（８）を中心に回転方向側にたわませるようにしたもので侵入者を押し戻す効果をもたせた回転扉の挟み事故防止の安全装置。
【発明の詳細な説明】
【技術分野】
【０００１】
本発明は回転扉の入口に於ける挟み込み事故防止を図った装置である。
【背景技術】
【０００２】
建物の大型化に伴い駆動装置で駆動される大型の自動回転扉が多く用いられているが、幼児から老人まで不特定多数の人が利用するものであり、出入口での挟み込み事故防止等万全の対策が求められている。回転扉が閉まるのは、ただ回転によって一意的に閉まるために、侵入が危険な幅だと判断するのは人によって異なり、挟み込み事故防止を図った緊急時の安全な停止手段を備え、円滑に出入り出来る回転扉が求められている。
自動回転扉の入口に於ける挟み込み事故防止を図る装置として、蝶番を設け異物による圧力・負荷が生じた場合に回転扉体の最外縁部が自動的に後方に折れ曲がって開放し事故を防止する装置はあるが、回転扉体の慣性力を小さくする等、尚改善の余地はある。
【先行技術文献】
【特許文献】
【０００３】
【特許文献１】特開２００７−５１５２６号公報
【発明の概要】
【０００４】
本発明は自動回転扉の入口に於ける挟み込み事故防止を図った装置であり、慣性力を小さくし即時に停止させることで子供や老人にとっても安全な装置を提供するものである。
【発明が解決しようとする課題】
【０００５】
二枚扉の回転扉は区画となる面積が広く大型の回転扉として適するが、挟み込み事故防止を図り、出入可能幅を迅速に確保し、側壁の開口部を全閉とする時間を短くして、出入り可能時間を長くした安全な自動回転扉とする。
【０００６】
回転扉体は慣性力が大きく障害物を検知しても直ちには停止出来ず、回転を完全停止させるまでの停止距離が必要であるために、固定側壁３の開口部と回転扉体の外周部で挟み込み事故は起こるが、慣性力を小さくすることで障害物９の検知により回転扉体の外周部を即時に回転停止させる。
【課題を解決するための手段】
【０００７】
回転扉の両固定側壁３の内側に沿い駆動装置により一方向に駆動される回転扉体は回転軸４の周りに等角度で複数枚の扉が放射状に配置されるが、挟み込み事故は固定側壁３の開口部と回転する回転扉体の外周部の間に挟まれる事により発生する。
【０００８】
障害物９の検知により即時に停止させる必要があるのは挟み込み事故の起こる回転扉体の外周部付近だけであり、回転扉体の外周部付近だけの回転を停止させればよい。
【０００９】
回転扉体の内周部の急激な回転停止は出入りする人の衝突など他の危険を誘発する恐れがあり、適当な停止距離の後に回転を停止させるのが寧ろ安全である。
【００１０】
従って、回転軸４に配置される扉の内周部と外周部とを緊急時に分離可能として、内周部扉５と外周部扉６とに分離すれば慣性力が小さくなり、障害物９の検知時に即時に外周部扉６の回転を停止させる事が可能となる。即時に外周部を回転停止させる事が可能となる。この分離可能な外周部扉６の幅を余裕を持たせた人体幅の幅とする。
【発明の効果】
【００１１】
回転扉体の回転軸４の周りに放射状に配置された扉を内周部扉５と外周部扉６とに分離可能とし、外周部扉６の幅を余裕を持たせた人体幅とすることで慣性力が小さくなり即時に回転の停止が出来る。回転扉体の内周部は急激な回転停止をさせることなく、適当な停止距離の後に停止させれば衝突などの他の危険を誘発することは無く寧ろ安全である。
【発明を実施するための形態】
【００１２】
大型の回転扉としては区画の面積の広くなる二枚扉の回転扉が適するが、開口時に左右両開きとすれば出入り可能幅を速く確保出来、開口部を全閉にする時間を短くすることで出入り可能時間も長くなり、出入り口の開口幅も広くできる。
【００１３】
回転軸４の周りに配置される扉を内周部扉５と外周部扉６に分離可能とし、各々に備える駆動装置により駆動され、外周部の外周部扉６を余裕を持たせた人体幅の幅を持たせ、外周部扉６だけを分離することで慣性力は小さくなり即時に停止させる事が可能となり、挟み込み事故を防止出来る。外周部扉６の外端部には幅の狭い円弧状の袖部７を備え、外周部扉６は袖部７に備える駆動装置によりガイドレールに沿い周方向に駆動させる。
【実施例１】
【００１４】
図面により本発明の実施例について説明する。
図１、図２は本発明を開口時に左右両方向に開口し、閉口時に左右両方向から閉口する二枚扉の自動回転扉に応用したものを示す。
【特許文献２】特願２００９−１２５３００
【００１５】
図１に於いて、円弧状の両固定側壁３の内側に沿う形に、回転方向先方には円弧状の収納側壁扉１を備え、また回転方向後方には円弧状の侵入阻止扉２を備え、各々の駆動装置により周方向に移動自在に設けられ、内部に設けられた回転扉体の回転状態に同期して周方向に突出及び収納を可能とする。
【００１６】
円弧状の収納側壁扉１及び侵入阻止扉２の内側に配置される回転扉体の回転軸４の周りに配置される複数の扉は内周部扉５と外周部扉６に分離が可能となっており、それぞれに備える駆動装置に依り一方向に駆動される。
【００１７】
外周部扉６は余裕を待たせた人体幅の幅を持ち、外周部扉６の外端には幅の狭い円弧状の袖部７を備え、円弧状の袖部７は緊急時には外周部扉６と共に回転停止させるか叉は周方向に移動自在とする事が出来る。
【００１８】
図１は通常回転時の様子を示し、回転軸４の周りに配置される内周部扉５及び外周部扉６及び袖部７は一枚の扉の如くそれぞれの駆動装置により駆動され一方向に回転し、収納側壁扉１は外周部扉６の外端に備える円弧状の袖部７に追従して閉まり、侵入阻止領域と成れば侵入阻止扉６を反回転方向に閉め、円弧状の袖部７と侵入阻止扉６の閉鎖の後に、収納側壁扉１は反回転方向に収納され側壁の開口部は左右両方向に開口され、同時に侵入阻止扉２は円弧状の袖部７の回転と共に収納端まで収納される。
【００１９】
図２は閉口の過程で障害物９を検知した場合を示し、障害物９の検知により収納側壁扉１は停止叉は反転収納され、同時に外周部扉６は外端に備える円弧状の袖部７の回転停止と共に停止し、侵入阻止扉２は移動自在とするか付勢手段を設けて収納させることで障害物９を開放させる。回転扉体の内周部扉５は停止距離の後に停止させるが、外周部扉６の幅が人体の幅より広いために障害物９を挟むことはない。
【００２０】
固定側壁３の開口部が全閉となるのはほんの一瞬であり、従来の回転扉と変わることはなく、挟み事故を防止した安全な回転扉とすることが出来る。異常停止後の運転復旧は異常
状態解消の後に、外周部扉６及び袖部７を正常位置に戻し、安全を確認し運転を再開する。
【００２１】
外周部扉６の外端に備える円弧状の袖部７の幅は、閉口の過程で収納側壁扉１と侵入阻止扉２との直接衝突を避けるもので、袖部７の幅は収納側壁扉１と侵入阻止扉２の停止能力により定まる。
【００２２】
回転扉として成立させる為には、円弧状の固定側壁３及び収納側壁扉１及び侵入阻止扉２の中心から見渡す角度を加えたものは二枚扉の回転扉では概ね１８０度、三枚扉の回転扉では概ね１２０度となればよい。各々の幅の最適値は回転速度、回転扉の大きさ（直径）や出入りする人の流れをシュミレーションするなどして定まるものであり設計者に委ねられる。
【実施例２】
【００２３】
図３は実施例１の回転扉体の身体幅以上の幅の外周部扉６と円弧状の袖部７とを蝶番８及びバネにより半固定状態に取り付けたもので、異常停止時に外周部扉６の慣性力により回転方向側にたわむことが出来るようにしたものである。
【００２４】
閉口の過程で障害物９を検知した場合に袖部７の周方向の回転を停止させることで、外周部扉７に働く慣性力により蝶番８を中心に回転方向側にたわむが、これは侵入しようとする人を押し戻す方向に働き、同時に侵入阻止扉２を回転方向に収納させる事で障害物９を開放させる。
【００２５】
図４は地震や火災等の際の緊急時の非難出入口の確保を図るもので、地震の予知信号や火災報知信号により収納側壁扉１及び侵入阻止扉２を収納し、回転扉体を非常時停止位置に停止させることで、幅の広い非難出入口を確保出来る。
【産業上の利用可能性】
【００２６】
本発明は自動回転扉の利便性を高め、安全性の向上を図ったものであり、二枚扉及び三枚扉及び四枚扉の回転扉に利用可能である。
【図面の簡単な説明】
【００２７】
【図１】本発明を二枚扉の回転扉に応用した実施例１の横断面図
【図２】本発明を二枚扉の回転扉に応用した実施例１の異常停止時の横断面図
【図３】本発明を二枚扉の回転扉に応用した実施例２の異常停止時の横断面図
【図４】非常時開放位置の横断面図
【符号の説明】
【００２８】
１    収納側壁扉
２    侵入阻止扉
３    固定側壁
４    回転軸
５    内周部扉
６    外周部扉
７    袖部
８    蝶番
９    障害物
【図１】
2010001735.tif 000003
【図２】
2010001735.tif 000004
【図３】
2010001735.tif 000005
【図４】
2010001735.tif 000006